(57)【要約】【課題】３次元ＣＡＤで設計したモデルと２次元ＣＡＤで設計した図面が修正の内容を含めて連動することが出来るＣＡＤデータ管理装置を得る。【解決手段】図面パターン算出手段１Ａは仕様情報を用いて図面パターンに振り分け、３次元ＣＡＤデータ生成部２は図面パターンを用いて、仕様情報に対応する３次元モデルを生成し、部品位置情報算出手段１Ｂは３次元モデルを用いて、３次元モデルの部品の位置を算出し、部品形状情報算出手段１Ｃは仕様情報を用いて、３次元モデルの部品の大きさを算出し、２次元図面生成手段１Ｄは、図面パターンと、部品の位置と、部品の大きさとを用いて、３次元モデルの部品に対応する２次元図面を生成する。【選択図】図１
2008287593.tif 000002
【特許請求の範囲】
【請求項１】
入力した仕様情報を用いて予め決められた図面パターンに振り分ける図面パターン算出手段と、
上記図面パターン算出手段が算出した図面パターンを用いて、上記仕様情報に対応する３次元モデルを生成する３次元ＣＡＤデータ生成手段と、
上記３次元ＣＡＤデータ生成手段が生成した３次元モデルを用いて、上記３次元モデルの部品の位置を算出する部品位置情報算出手段と、
上記仕様情報を用いて、上記３次元モデルの部品の大きさを算出する部品形状情報算出手段と、
上記図面パターン算出手段が算出した図面パターンと、上記部品位置情報算出手段が算出した部品の位置と、上記部品形状情報算出手段が算出し部品の大きさとを用いて、上記３次元モデルの部品に対応する２次元図面を生成する２次元図面生成手段と
を備えることを特徴としたＣＡＤデータ管理装置。
【請求項２】
２次元図面の修正から部品の修正情報を算出する２次元図面修正手段と、
上記２次元図面修正手段が算出した修正情報を用いて、上記部品の図面パターン，上記部品の位置，上記部品の形状の少なくともいずれか一つを再計算する部品位置再計算手段と
を備えることを特徴とする請求項１記載のＣＡＤデータ管理装置。
【発明の詳細な説明】
【技術分野】
【０００１】
この発明は、例えば３次元ＣＡＤで設計したモデルと２次元ＣＡＤで設計した図面の連動方式を管理するＣＡＤデータ管理装置に関するものである。
【背景技術】
【０００２】
３次元ＣＡＤのモデルと別の２次元ＣＡＤの図面は、本来は全く別のものであり、通常関係はない。図面における線分・円等の作図要素のみの片方向の連動となる。
【０００３】
また従来のＣＡＤデータ管理装置は、同一の設計対象物をそれぞれ示す３次元モデルと部品構成の一部が省略画法を用いて作成された２次元図面の各部品の名称と部品番号等の部品データがそれぞれ記憶された記憶媒体と、上記記憶媒体から読出した３次元モデルと２次元図面の部品データが一致しているものは共通した部品として一つに整理し、また一致していない部品データはそのまま一つの部品とする部品表を作成する部品表作成手段とを具備したものである。
【０００４】
【特許文献１】特開平１０−３０１９７２号公報（段落００１３）
【発明の開示】
【発明が解決しようとする課題】
【０００５】
従来のＣＡＤデータ管理装置は以上のように構成され、３次元ＣＡＤで設計したモデルと別の２次元ＣＡＤで設計した図面が連動しなく修正した場合に相互で変更しなければならず、また連動していても図面で修正した内容の共有までは行われないという課題があった。
【０００６】
この発明は上記のような課題を解決するためになされたもので、３次元ＣＡＤで設計したモデルと２次元ＣＡＤで設計した図面が修正の内容を含めて連動することが出来るＣＡＤデータ管理装置を得ることを目的とする。
【課題を解決するための手段】
【０００７】
この発明に係るＣＡＤデータ管理装置は、入力した仕様情報を用いて予め決められた図面パターンに振り分ける図面パターン算出手段と、図面パターン算出手段が算出した図面パターンを用いて、仕様情報に対応する３次元モデルを生成する３次元ＣＡＤデータ生成手段と、３次元ＣＡＤデータ生成手段が生成した３次元モデルを用いて、３次元モデルの部品の位置を算出する部品位置情報算出手段と、仕様情報を用いて、３次元モデルの部品の大きさを算出する部品形状情報算出手段と、図面パターン算出手段が算出した図面パターンと、部品位置情報算出手段が算出した部品の位置と、部品形状情報算出手段が算出し部品の大きさとを用いて、３次元モデルの部品に対応する２次元図面を生成する２次元図面生成手段とを備えるものである。
【発明の効果】
【０００８】
この発明によれば、３次元ＣＡＤで設計したモデルと２次元ＣＡＤで設計した図面が修正の内容を含めて連動することが出来るという効果を奏する。
【発明を実施するための最良の形態】
【０００９】
以下、この発明の実施の一形態を説明する。
実施の形態１．
図１はこの発明の実施の形態１におけるＣＡＤデータ管理装置の構成を示すブロック図である。
ＣＡＤデータ管理装置（３次元２次元データ管理装置）は、図１に示すように、ＣＡＤデータ管理部１と、３次元ＣＡＤデータ情報生成部２（３次元ＣＡＤデータ生成手段）とにより構成されている。またＣＡＤデータ管理装置は、データとして、図面パターンテンプレート図面３と、パターン・位置情報ＤＢ４と、部品情報ＤＢ５と、２次元部品図面６と、仕様ファイル８とを有している。
【００１０】
ここで、ＣＡＤデータ管理部１は、図面パターン算出手段１Ａと部品位置情報算出手段１Ｂと部品形状情報算出手段１Ｃと２次元図面生成（２次元部品を貼り付け）手段１Ｄとを有しており、３次元ＣＡＤデータ情報生成部２は３次元ソフトウェア２Ａと、３次元ソフトウェア２Ａから生成される３次元モデル２Ｂとを有している。またＣＡＤデータ管理装置と共に、仕様入力ファイル（ローカル）７と仕様入力画面９がある。
【００１１】
図面パターン算出手段１Ａは例えば縦横高さなどの数値を仕様情報として入力して予め決められた図面パターンに振分けを行う手段である。部品位置情報算出手段１Ｂは３次元ＣＡＤデータ生成部２が生成した３次元ＣＡＤモデルを自動で変形させ、その３次元ＣＡＤにおける入力したデータの部品の位置を算出する手段である。部品形状情報算出手段１Ｃは入力した仕様情報を用いて３次元ＣＡＤモデルの各部品の大きさを算出する手段である。２次元図面生成手段１Ｄは、図面パターン算出手段１Ａが算出した図面パターンと、部品位置情報算出手段１Ｂが算出した部品の位置と、部品形状情報算出手段１Ｃが算出した部品の大きさとを用いて、２次元ＣＡＤ部品を３次元ＣＡＤモデルの部品の大きさに変換する等をし、３次元モデルの部品に対応する２次元ＣＡＤの部品を生成する手段である。
【００１２】
仕様入力画面９は作業者が生成したいＣＡＤデータの仕様を入力するための画面であり、仕様ファイル（ローカル）７は営業担当者等のユーザが仕様入力画面９において簡単な仕様を入力した仕様データを保存するものであり、仕様ファイル８は仕様ファイル（ローカル）７において仕様が決まった段階で図面作成ボタンを押すと仕様ファイル（ローカル）７から仕様データをコピーして保存するものであり、図面パターンテンプレート図面３は予め図面パターンのテンプレートを保存するものであり、パターン位置情報ＤＢ４は部品位置情報算出手段１Ｂで算出した部品の位置情報を保存するものであり、部品情報ＤＢ５は部品形状情報算出手段１Ｃで算出した部品の例えば大きさ等の形状情報を保存するものであり、２次元部品図面６は２次元図面生成手段１Ｄで算出した２次元ＣＡＤの部品を保存するものである。
【００１３】
次に動作について説明する。
まず、３次元モデルの設計者は３次元モデルにおいて設計を完了し、生産の体制が整った状態で営業のＰＣ端末に３次元ＣＡＤデータを置き、また、２次図面の作成者は２次元上でパラメトリックに変更可能な部品を作成し、営業のＰＣ端末に２次元ＣＡＤデータを置き、３次元２次元のＣＡＤが同一端末上に存在する状態にする。
【００１４】
図２は、この発明の実施の形態１における構成ツリーを作成する機能の図面である。
準備作業として、３次元モデルと２次元モデルを管理するために構成ツリーを作成する必要がある。図２で示すように、３次元ＣＡＤのトップアセンブリを選択して、構成ツリーボタンを押すと３次元の構成を認識し、部品情報ＤＢに構成をコピーし、ＣＡＤデータ管理装置内に任意の２次元部品格納場所を作成し、保存する。
【００１５】
図３はこの発明の実施の形態１における３次元構成ツリーの図であり、図４はこの発明の実施の形態１における３次元データと２次元データの関連図である。
構成ツリーを作成後、例えば２次元ＣＡＤにおいて３次元ＣＡＤ部品名と同じ名称で部品を作成する。３次元ＣＡＤ部品名と２次元ＣＡＤ部品名を同じ名称で部品を作成し、例えば名称等で関連付けすることにより、図４で示すように、３次元構成ツリーとＣＡＤデータ管理装置内に任意の格納場所に保存する２次元ＣＡＤの部品とをリンクさせる自動リンク機能を有することができる。
【００１６】
図５はこの発明の実施の形態１における仕様入力画面９の図である。
自動設計をしたいときは、ユーザはまず図５に示すような仕様入力画面９において、例えば縦横高さ等の数値等の簡単な仕様を入力する。仕様入力画面９のデータ保存ボタンを押すと、この仕様の内容が仕様ファイル（ローカル）７として保存される。また仕様が決まった段階で仕様入力画面９の図面作成ボタンを押すと、仕様ファイル（ローカル）７から仕様ファイル８へ仕様情報のデータがコピーされ、ＣＡＤデータ管理装置において図面作成が開始される。
【００１７】
仕様ファイル８が仕様ファイル（ローカル）７から仕様情報のデータを入力した後、このデータはＣＡＤデータ管理部１の図面パターン算出手段１Ａ及び部品形状情報算出手段１Ｃに出力する。図面パターン算出手段１Ａは仕様ファイル８から入力した仕様情報を用いて予め決められた図面パターンに振り分け、この図面パターンを３次元ＣＡＤデータ情報生成部２に出力し、図面パターンに基づいて３次元ソフトウェア２Ａで計算して３次元モデルを生成し、この３次元モデルを部品位置情報算出手段１Ｂに出力する。また図面パターン算出手段１Ａは、あらかじめ用意してある図面パターンテンプレート図面３から対応する図面パターンを選択し、選択した図面パターンを２次元図面生成手段１Ｄに出力する。図面パターンテンプレートの選択方法は、仕様項目のうち図面パターンに関係のある項目を選び出しておき、その組み合せた分の図面パターンテンプレートを用意する。
【００１８】
部品位置情報算出手段１Ｂは、３次元ＣＡＤデータ情報生成部２で生成した３次元モデルを用いて、部品の位置情報を算出し、２次元図面生成手段１Ｄ及びパターン・位置情報ＤＢ４に出力し、パターン・位置情報ＤＢ４は算出した位置情報を保存する。このパターン・位置情報の算出する方法は、仕様入力の内容から３次元モデルを自動で変形させ、その３次元ＣＡＤにおける各部品名と部品の位置情報（Ｘ，Ｙ，Ｚ座標）を取得する方法をとる。
【００１９】
部品形状情報算出手段１Ｃは、仕様ファイル８のデータ用いて、部品形状の例えば大きさ等の情報を算出し、２次元図面生成手段１Ｄ及び部品情報ＤＢ５に出力し、部品情報ＤＢ５はこの部品の形状を保存する。
【００２０】
２次元図面生成手段１Ｄは、図面パターンテンプレート図面３からの図面パターン、パターン・配置情報ＤＢ４からの部品位置情報、部品情報ＤＢ５からの部品形状情報を用いて、仕様図面の断面、正面、平面で使用する２次元座標系を選別し（Ｘ，Ｙ，Ｚ座標から２つの座標系を選択）、２次元ＣＡＤの部品における可変寸法において図面を作成する。２次元図面生成手段１Ｄは、生成した２次元ＣＡＤの部品を２次元部品図面６に出力し、またこの図面を２次元ソフトウェアに表示する。
【００２１】
次の変更についての動作について説明する。
図６はこの発明の実施の形態１におけるＣＡＤデータ管理装置を用いたデータの変更を示す図である。
前提として、図１に示すように、自動設計において設計が完了していることがある。営業担当者等のユーザは２次元ＣＡＤ上で設計が完了している図面の修正を行い、ＣＡＤデータ管理装置は図面修正を行った部品を認識する。
【００２２】
２次元ＣＡＤ上で図面の修正が行われた場合、ＣＡＤデータ管理部１の２次元図面修正手段１Ｅは、２次元図面の修正から修正情報を算出するものであり、２次元図面の部品の修正のデータを、パターン・位置についてはパターン・位置情報ＤＢ４に、大きさ等の部品の情報については部品情報ＤＢ５に出力し、パターン・位置情報ＤＢ４，部品情報ＤＢ５はそれぞれ該当する修正後のデータを保存する。
そして部品位置情報再計算手段１Ｆは、２次元図面修正手段１Ｅが算出した修正情報を用いて、部品の位置及び部品の形状を再計算するものであり、例えばメニューボタン（位置変更ボタン）をクリックすることで、修正を図面の位置、形状等に反映し、再計算したデータを３次元ＣＡＤデータ情報生成部２に出力し、３次元モデル２Ｂのデータに修正後の３次元モデルのデータを保存する。
【００２３】
２次元ＣＡＤ上で図面の修正していない部品については、修正前と同じ部品を反映することにより、修正後の図面が作成される。
【００２４】
以上のように、実施の形態１によれば、ＣＡＤデータ管理装置は、入力した仕様情報を用いて予め決められた図面パターンに振り分ける図面パターン算出手段１Ａと、図面パターン算出手段１Ａが算出した図面パターンを用いて、仕様情報に対応する３次元モデルを生成する３次元ＣＡＤデータ生成部２と、３次元ＣＡＤデータ生成部２が生成した３次元モデルを用いて、３次元モデルの部品の位置を算出する部品位置情報算出手段１Ｂと、仕様情報を用いて、３次元モデルの部品の大きさを算出する部品形状情報算出手段１Ｃと、図面パターン算出手段１Ａが算出した図面パターンと、部品位置情報算出手段１Ｂが算出した部品の位置と、部品形状情報算出手段１Ｃが算出し部品の大きさとを用いて、３次元モデルの部品に対応する２次元図面を生成する２次元図面生成手段１Ｄとを備えることにより、３次元ＣＡＤで設計したモデルと２次元ＣＡＤで設計した図面が修正の内容を含めて連動することが出来るという効果を奏する。
【００２５】
また実施の形態１によれば、ＣＡＤデータ管理装置は、２次元図面の修正から部品の修正情報を算出する２次元図面修正手段１Ｅと、２次元図面修正手段１Ｅが算出した修正情報を用いて、部品の図面パターン，部品の位置，部品の形状の少なくともいずれか一つを再計算する部品位置再計算手段１Ｆとを備えることにより、３次元ＣＡＤで設計したモデルと２次元ＣＡＤで設計した図面が修正の内容を含めて連動することが出来るという効果を奏する。
【図面の簡単な説明】
【００２６】
【図１】この発明の実施の形態１におけるＣＡＤデータ管理装置の構成を示すブロック図である。
【図２】この発明の実施の形態１における構成ツリーを作成する機能の図面である。
【図３】この発明の実施の形態１における３次元構成ツリーの図である。
【図４】この発明の実施の形態１における３次元データと２次元データの関連図である。
【図５】この発明の実施の形態１における仕様入力図面である。
【図６】この発明の実施の形態１におけるＣＡＤデータ管理装置を用いたデータの変更を示す図である。
【符号の説明】
【００２７】
１  ＣＡＤデータ管理部、１Ａ  図面パターン算出手段、１Ｂ  部品位置情報算出手段、１Ｃ  部品形状情報算出手段、１Ｄ  ２次元図面生成手段、１Ｅ  ２次元図面修正手段、１Ｆ  部品位置情報再計算手段、２  ３次元ＣＡＤデータ情報生成部、２Ａ  ３次元ソフトウェア、２Ｂ  ３次元モデル、３  図面パターンテンプレート図面、４  パターン・位置情報ＤＢ、５  部品情報ＤＢ、６  ２次元部品図面、７  仕様ファイル（ローカル）、８  仕様ファイル、９  仕様入力図面。
【図１】
2008287593.tif 000003
【図２】
2008287593.tif 000004
【図３】
2008287593.tif 000005
【図４】
2008287593.tif 000006
【図５】
2008287593.tif 000007
【図６】
2008287593.tif 000008